(57)【要約】【課題】コヒーレンスを低減する燃料圧力振動装置用のシステム及び方法を提供する。【解決手段】ガスタービンエンジンは、第１の燃料ノズルを有する第１の燃焼器と、第２の燃料ノズルを有する第２の燃焼器と、第１の燃料圧力振動システムと、を含む。第１の燃料圧力振動システムは、第１の燃料回路に結合された第１の回転装置を含む。第１の燃料回路が、第１の燃料ノズルにつながる第１の燃料通路に沿って配置される。第１の回転装置が、第１の燃料ノズルを通じて第１の燃料圧力振動を発生する。ガスタービンエンジンはまた、第２の燃料回路に結合された第２の回転装置を有する第２の燃料圧力振動システムを含む。第２の燃料回路が、第２の燃料ノズルにつながる第２の燃料通路に沿って配置され、第２の回転装置が、第２の燃料ノズルを通じて第２の燃料圧力振動を発生する。【選択図】      図１
2016008609.tif 000002
【特許請求の範囲】
【請求項１】
ガスタービンエンジンを備えたシステム（１０）であって、該ガスタービンエンジンが、
第１の燃料ノズル（６４）を有する第１の燃焼器（５２）と、
第２の燃料ノズル（６６）を有する第２の燃焼器（５４）と、
第１の燃料回路（４８）に結合された第１の回転装置を有する第１の燃料圧力振動システムと、
を備え、
前記第１の燃料回路が、前記第１の燃料ノズルにつながる第１の燃料通路に沿って配置され、前記第１の回転装置が、前記第１の燃料ノズル内で第１の燃料圧力振動を発生するよう構成されており、
前記ガスタービンエンジンが更に、
第２の燃料回路（６８）に結合された第２の回転装置を有する第２の燃料圧力振動システムを備え、
前記第２の燃料回路が、前記第２の燃料ノズルにつながる第２の燃料通路に沿って配置され、前記第２の回転装置が、前記第２の燃料ノズル内で第２の燃料圧力振動を発生するよう構成されている、システム。
【請求項２】
前記第１の燃料圧力振動が前記第２の燃料圧力振動と異なり、前記燃料圧力振動の差違が、前記第１の燃焼器と前記第２の燃焼器との間のモード結合を低減するのを助けるよう構成されている、請求項１に記載のシステム。
【請求項３】
前記第１の燃料圧力振動が前記第２の燃料圧力振動と異なり、前記燃料圧力振動の差違が、前記第１の燃焼器と前記第２の燃焼器との間の位相を変化させるのを助けるよう構成されている、請求項１に記載のシステム。
【請求項４】
前記第１の回転装置上に第１の複数のオリフィスが配置され、前記第２の回転装置上に第２の複数のオリフィスが配置される、請求項１に記載のシステム。
【請求項５】
前記第１の複数のオリフィスの幾何形状が、前記第２の複数のオリフィスの幾何形状に対して少なくとも１つの幾何学的差違を有する、請求項４に記載のシステム。
【請求項６】
前記少なくとも１つの幾何学的差違が、異なるサイズ、異なる形状、異なる寸法、異なる有効面積、異なる間隔、異なるパターン、又はこれらの組み合わせのうちの少なくとも１つである、請求項５に記載のシステム。
【請求項７】
前記ガスタービンエンジンが、前記第１の回転装置の第１の駆動部又は前記第２の回転装置の第２の駆動部、或いはこれら両方を制御するよう構成されたコントローラを含み、前記第１及び第２の駆動部が、前記第１及び第２の回転装置それぞれを回転させるように構成されている、請求項１に記載のシステム。
【請求項８】
前記コントローラが、前記第２の回転装置の第２の回転速度と異なるように前記第１の回転装置の第１の回転速度を変えるように構成されている、請求項７に記載のシステム。
【請求項９】
第１の燃焼器を備えたシステムであって、前記第１の燃焼器が、
第１の燃料ノズル（６４）を有する第１の燃料回路（４８）と、
第２の燃料ノズル（６６）を有する第２の燃料回路（６８）と、
前記第１の燃料ノズル及び前記第２の燃料ノズルの上流側に配置され、燃料内で圧力振動を発生させるよう構成された第１の燃料圧力振動システムと、
を備え、
前記第１の燃料圧力振動システムが、
前記第１の燃料ノズルにつながる前記第１の燃料回路の第１の燃料ノズルに沿って配置された第１の回転装置と、
前記第２の燃料ノズルにつながる前記第２の燃料回路の第２の燃料通路に沿って配置された第２の回転装置と、
第１のギアに結合された第１の駆動部と、
を含み、前記第１のギアが、前記第１の回転装置及び前記第２の回転装置を回転させる回転力を提供するよう構成される、システム。
【請求項１０】
前記第１の回転装置が、前記第１の燃料ノズル内で第１の燃料圧力振動を発生するよう構成されており、前記第２の回転装置が、前記第２の燃料ノズル内で第２の燃料圧力振動を発生するよう構成されている、請求項９に記載のシステム。
【請求項１１】
前記第１の燃料圧力振動が前記第２の燃料圧力振動と異なり、前記燃料圧力振動の差違が、前記第１の燃焼器と前記第２の燃焼器との間のモード結合を低減するのを助けるよう構成されている、請求項１０に記載のシステム。
【請求項１２】
前記第１の燃料圧力振動が前記第２の燃料圧力振動と異なり、前記燃料圧力振動の差違が、前記第１の燃焼器と前記第２の燃焼器との間の位相を変化させるのを助けるよう構成されている、請求項９に記載のシステム。
【請求項１３】
前記第１の回転装置が第１の複数のオリフィスを含み、前記第２の回転装置が第２の複数のオリフィスを含み、前記第１及び第２の複数のオリフィスが、燃料が前記第１及び第２の燃料通路それぞれを通過したときに前記燃料を脈動させるよう構成される、請求項９に記載のシステム。
【請求項１４】
前記第１の複数のオリフィスが、前記第２の複数のオリフィスに対して少なくとも１つの幾何学的差違を有し、前記少なくとも１つの幾何学的差違が、前記第２の燃料ノズルの第２の燃料圧力振動から位相外れした前記第１の燃料ノズルの第１の燃料圧力振動を発生するよう構成されている、請求項１３に記載のシステム。
【請求項１５】
前記少なくとも１つの幾何学的差違が、異なるサイズ、異なる形状、異なる寸法、異なる有効面積、異なるパターン、異なる間隔、又はこれらの組み合わせのうちの少なくとも１つである、請求項１４に記載のシステム。
【請求項１６】
前記システムが、前記第１の駆動部を制御し、これにより前記第１の回転装置及び前記第２の回転装置の回転速度を制御するよう構成されたコントローラを備える、請求項９に記載のシステム。
【請求項１７】
燃料圧力振動システムの第１の回転装置に燃料を提供するステップを含み、
前記第１の回転装置が、燃焼器の第１の燃料ノズルにつながる第１の燃料回路の第１の燃料通路に沿って配置され、前記第１の回転装置が、第１の複数のオリフィスを含み、
前記方法が更に、
前記燃料圧力振動システムの第２の回転装置に燃料を提供するステップを含み、
前記第２の回転装置が、前記燃焼器の第２の燃料ノズルにつながる第２の燃料回路の第２の燃料通路に沿って配置され、前記第２の回転装置が、第２の複数のオリフィスを含み、
前記方法が更に、
前記燃料圧力振動システムの第１の回転装置及び第２の回転装置を回転させるステップと、
前記第１の回転装置の第１の複数のオリフィスを通して燃料を脈動させて、第１の燃料圧力振動を発生させるステップと、
前記第２の回転装置の第２の複数のオリフィスを通して燃料を脈動させて、前記第１の燃料圧力振動とは異なる第２の燃料圧力振動を発生させるステップと、
を含む、方法。
【請求項１８】
前記第１の複数のオリフィスが、前記第２の複数のオリフィスに対して少なくとも１つの幾何学的差違を有する、請求項１７に記載の方法。
【請求項１９】
前記少なくとも１つの幾何学的差違が、異なるサイズ、異なる形状、異なる寸法、異なる有効面積、異なる間隔、異なるパターン、又はこれらの組み合わせのうちの少なくとも１つである、請求項１７に記載の方法。
【請求項２０】
前記第１の回転装置及び前記第２の回転装置の回転速度を制御するステップを含む、請求項１７に記載の方法。
【発明の詳細な説明】
【技術分野】
【０００１】
本明細書で開示される主題は、燃焼ダイナミックスのモード結合を低減するシステム及び方法に関する。特に、本システム及び方法は、ガスタービン又は他のターボ機械に組み込むことができる。
【背景技術】
【０００２】
ガスタービンシステムは、一般に、圧縮機セクション、燃焼器セクション、及びタービンセクションを有するガスタービンエンジンを含む。燃焼器セクションは、１又はそれ以上の燃焼器（例えば、燃焼缶）を含むことができ、各燃焼器が一次燃焼ゾーンを有する。燃料及び／又は燃料−空気（例えば、酸化剤）混合気は、燃料ノズルを通じて一次燃焼ゾーンに送ることができ、該燃焼ゾーンは、燃料と酸化剤の混合気を燃焼させて高温燃焼ガスを発生し、この燃焼ガスが、タービンセクションにおいて１又はそれ以上のタービン段を駆動する。
【０００３】
高温燃焼ガスの発生は、燃焼ダイナミックスを生じる可能性があり、これは、火炎ダイナミックス（放熱の周期的振動成分としても知られる）が、燃焼器の１又はそれ以上の音響モードと相互作用し又はこの燃焼器の１又はそれ以上の音響モードを励起して、結果として燃焼器において圧力振動をもたらしたときに生じる。例えば、燃焼不安定性の１つの機構は、音響圧力脈動が燃料ポートにおいて質量流量変動を引き起こし、結果として火炎ゾーンにおける燃空比変動をもたらしたときに生じる場合がある。結果として生じる燃料／空気比の変動（例えば、放熱振動）及び音響圧力振動が特定の位相挙動（例えば、同相）を有する場合には、自励のフィードバックループが生じることになる。
【０００４】
燃焼ダイナミックスは、複数の離散的周波数において、又はある周波数範囲にわたって起こる可能性があり、それぞれの燃焼器に対して上流側及び下流側の両方に伝播する可能性がある。例えば、圧力波は、例えば１又はそれ以上のタービン段を通って下流側のタービンセクションに伝播し、或いは上流側の燃料システムに伝播する可能性がある。特に個々の燃焼器により生じる燃焼ダイナミックスが同相で互いにコヒーレント（可干渉性）な関係を示し、構成要素の固有周波数又は共振周波数もしくはその近傍の周波数を有する場合には、タービンシステムの特定の下流側構成要素が燃焼ダイナミックスに応答する可能性がある。一般に、「コヒーレンス」とは、２つのダイナミック信号間の線形関係の強度を指し、これら信号間の周波数の重なり度に強く影響される。特定の実施形態において、「コヒーレンス」は、燃焼システムによって示されるモード結合、すなわち燃焼器と燃焼器の間の音響相互作用の尺度として用いることができる。
【先行技術文献】
【特許文献】
【０００５】
【特許文献１】米国特許第８，９６６，９０６号明細書
【発明の概要】
【発明が解決しようとする課題】
【０００６】
従って、タービンシステムにおける構成要素の何らかの望ましくない共鳴振動応答（例えば、共振挙動）の可能性を低減するために、燃焼ダイナミックス、及び／又は燃焼ダイナミックスのモード結合及び／又は燃焼ダイナミックスの燃焼器−燃焼器位相を制御する必要性がある。
【０００７】
最初に請求項に記載された本発明の範囲内にある特定の実施形態について以下で要約する。これらの実施形態は、特許請求した本発明の技術的範囲を限定することを意図するものではなく、むしろそれらの実施形態は、本発明の実施可能な形態の簡潔な概要を示すことのみを意図している。当然のことながら、本発明は、下記に説明した実施形態と同様のもの又は該実施形態と異なるものとすることができる様々な形態を含むことができる。
【課題を解決するための手段】
【０００８】
第１の実施形態において、システムはガスタービンエンジンを含む。ガスタービンエンジンは、第１の燃料ノズルを有する第１の燃焼器と、第２の燃料ノズルを有する第２の燃焼器と、第１の燃料圧力振動システムと、を含む。第１の燃料圧力振動システムは、第１の燃料回路に結合された第１の回転装置を含む。第１の燃料回路が、第１の燃料ノズルにつながる第１の燃料通路に沿って配置される。第１の回転装置が、第１の燃料ノズルを通じて第１の燃料圧力振動を発生するよう構成されている。ガスタービンエンジンはまた、第２の燃料回路に結合された第２の回転装置を有する第２の燃料圧力振動システムを含む。第２の燃料回路が、第２の燃料ノズルにつながる第２の燃料通路に沿って配置され、第２の回転装置が、第２の燃料ノズルを通じて第２の燃料圧力振動を発生するよう構成されている。
【０００９】
第２の実施形態において、システムは、第１の燃料ノズルを有する第１の燃料回路と、第２の燃料ノズルを有する第２の燃料回路と、第１の燃料ノズル及び第２の燃料ノズルの上流側に配置された第１の燃料圧力振動システムとを含む第１の燃焼器を備える。第１の燃料圧力振動システムは、燃料内で圧力振動を発生させるよう構成されている。第１の燃料圧力振動システムが、第１の燃料ノズルにつながる第１の燃料回路の第１の燃料ノズルに沿って配置された第１の回転装置と、第２の燃料ノズルにつながる第２の燃料回路の第２の燃料通路に沿って配置された第２の回転装置と、第１のギアに結合された第１の駆動部と、を含み、第１のギアが、第１の回転装置及び第２の回転装置を回転させる回転力を提供するよう構成される。
【００１０】
第３の実施形態において、方法は、燃料圧力振動システムの第１の回転装置に燃料を提供するステップを含む。第１の回転装置が、燃焼器の第１の燃料ノズルにつながる第１の燃料回路の第１の燃料通路に沿って配置され、第１の回転装置が、第１の複数のオリフィスを含む。本方法はまた、燃料圧力振動システムの第２の回転装置に燃料を提供するステップを含む。第２の回転装置が、燃焼器の第２の燃料ノズルにつながる第２の燃料回路の第２の燃料通路に沿って配置され、第２の回転装置が、第２の複数のオリフィスを含む。本方法はまた、燃料圧力振動システムの第１の回転装置及び第２の回転装置を回転させるステップと、第１の回転装置の第１の複数のオリフィスを通して燃料を脈動させて、第１の燃料圧力振動を発生させるステップと、を含む。本方法はまた、第２の回転装置の第２の複数のオリフィスを通して燃料を脈動させて、第２の燃料圧力振動を発生させるステップを含む。第１の燃料圧力振動は、第２の燃料圧力振動とは異なる。
【００１１】
本発明のこれらの及びその他の特徴、態様並びに利点は、図面全体を通して同じ参照符号が同様の部分を表す添付図面を参照して以下の詳細な説明を読むと、より良好に理解されるであろう。
【図面の簡単な説明】
【００１２】
【図１】複数の燃焼器を有し、各燃焼器が燃料圧力振動システムを備えたガスタービンシステムの１つの実施形態の概略図。
【図２】燃焼器が燃料圧力振動システム及びコントローラに動作可能に結合された、図１の燃焼器のうちの１つの燃焼器に関する１つの実施形態の概略断面図。
【図３】駆動モータと、燃料圧力振動システムの１又はそれ以上のスピニングディスクを密閉するよう構成されたハウジングとを示した、図２の燃焼器の端部カバーの１つの実施形態の概略図。
【図４】図３の燃料圧力振動システムのハウジングの１つの実施形態の概略図。
【発明を実施するための形態】
【００１３】
本発明の１つ又はそれ以上の特定の実施形態について、以下に説明する。これらの実施形態の簡潔な説明を行うために、本明細書では、実際の実施態様の全ての特徴については説明しないことにする。何れかの技術又は設計プロジェクトと同様に、このような何らかの実際の実装の開発において、システム及びビジネスに関連した制約への準拠など、実装毎に異なる可能性のある開発者の特定の目標を達成するために、多数の実装時固有の決定を行う必要がある点は理解されたい。更に、このような開発の取り組みは、複雑で時間を要する可能性があるが、本開示の利点を有する当業者にとっては、設計、製作、及び製造の日常的な業務である点を理解されたい。更に、このような開発の取り組みは、複雑で時間を要する可能性があるが、本開示の利点を有する当業者にとっては、設計、製作、及び製造の日常的な業務である点を理解されたい。
【００１４】
本発明の種々の実施形態の要素を導入する際に、冠詞「ａ」、「ａｎ」、「ｔｈｅ」、及び「ｓａｉｄ」は、要素の１つ又はそれ以上が存在することを意味するものとする。用語「備える」、「含む」、及び「有する」は、包括的なものであり、記載した要素以外の付加的な要素が存在し得ることを意味する。
【００１５】
本開示は、燃焼ダイナミックス及び／又は燃焼ダイナミックスのモード結合を低減し、及び／又は燃焼ダイナミックスの燃焼器と燃焼器の間の位相遅延を変更して、ガスタービンシステムの下流側構成要素及び／又は燃焼器自体における望ましくない振動応答を低減することを目的としている。上述のように、ガスタービンシステム内の燃焼器は、酸化剤−燃料混合気を燃焼させて高温の燃焼ガスを発生し、この燃焼ガスが、ガスタービンにおける１又はそれ以上のタービン段を駆動する。一部の状況において、燃焼システムは、燃焼プロセス、燃焼器に流入する吸入流体流（例えば、燃料、酸化剤、希釈剤、その他）の特性、及び様々な他の要因に起因して燃焼ダイナミックスを生じることがある。一部の状況において、燃焼システムは、燃焼プロセス、燃焼器に流入する吸入流体流（例えば、燃料、酸化剤、希釈剤、その他）の特性、及び様々な他の要因に起因して燃焼ダイナミックスを生じることがある。特定の作動条件では、特定周波数及び十分な振幅を有する燃焼ダイナミックスは、同相でコヒーレントであり、タービンセクション及び／又は他の下流側構成要素において望ましくない共鳴振動をもたらす可能性がある。例えば、燃焼ダイナミックス（例えば、特定の周波数、周波数範囲、振幅、燃焼器−燃焼器間位相、その他における）は、ガスタービンシステムにおいて下流側に移動する可能性がある。ガスタービン燃焼器及び／又は下流側の構成要素が、これらの圧力変動（すなわち、燃焼ダイナミックス）によって引き起こされる固有周波数又は共振周波数を有する場合には、圧力変動により、潜在的に振動、応力、疲労、その他が生じる可能性がある。構成要素は、タービンノズル、タービンブレード、タービンシュラウド、タービンホイール、軸受、燃料供給組立体、又はこれらの何れかの組み合わせを含むことができる。下流側構成要素は、同相及びコヒーレントである燃焼トーンの影響をより受けやすいので、特に重要である。従って、具体的には、コヒーレンス性が低減することにより、及び／又は燃焼器と燃焼器と間の位相が増大すること（例えば、より大きな位相外れ）により、下流側構成要素における望ましくない振動の可能性が低減される。
【００１６】
上記のことを考慮して、本開示の種々の実施形態は、１又はそれ以上の燃料圧力振動システムによる、燃焼ダイナミックスのモード結合の低減及び／又は燃焼器間位相の増大のためのシステム及び方法を含む。詳細には、ガスタービンシステムは複数の燃焼器を含むことができ、各燃焼器は、燃焼器の端部カバーから上流側で構成され且つ１又はそれ以上の燃料回路に動作可能に結合された燃料圧力振動システムを含むことができる。燃料圧力振動システムは、燃焼器のヘッド端部を通って１又はそれ以上の燃料ノズルに流れる燃料の圧力振動及び／又は圧力変調を引き起こすように構成することができる。結果として、燃料圧力の周期的振動は、燃焼器を通じた燃料流の周期的振動を引き起こすことが予想される。一部の状況では、特定の燃焼器内で及び／又は１又はそれ以上の燃焼器間で燃料ノズルを通る燃料流の圧力振動及び／又は圧力変調が変化することは、「ディザリング」として知られている。燃料圧力振動のタイミング及び振幅は、ランダム、定期的、及び／又は燃焼システムにより生じた燃焼不安定性の振幅、位相、コヒーレンス、及び／又は周波数のうちの１又はそれ以上に応答したものとすることができる。従って、燃料圧力振動システムは、２又はそれ以上の燃焼器の間の周波数の関係を変更して、全体として燃焼システムのコヒーレンスを低減することができ、何らかの燃焼器間の結合を低減する一助となることが期待される。或いは、燃料圧力振動システムは、燃焼ダイナミックスの燃焼器間位相を変えることが期待される。結果として、燃料圧力振動システムは、システムの下流側構成要素内及び／又は燃焼器自体内の振動応答を引き起こす燃焼器トーンの能力を低減することが期待される。
【００１７】
特定の実施形態において、燃料圧力振動システムは、ガスタービンシステムの特定の燃焼器の１又はそれ以上の燃料回路に動作可能に結合されて、圧力を振動させ、従って、１又はそれ以上の燃料回路の燃料ノズルを通る燃料流を振動させることができ、その結果、１又はそれ以上の燃料回路の燃料ノズルの燃料ノズル圧力比及び／又は当量比を振動させることができる。所与の燃料ノズル又は燃料ノズルのグループに対する燃料流量の差違から生じる燃料ノズル圧力比及び／又は当量比の変化は、特定の燃焼器における燃焼不安定性の周波数及び／又は振幅に直接影響を及ぼす可能性がある。このような実施形態において、燃料圧力振動システムは、燃料ノズル圧力比及び／又は当量比を振動（例えば、変化）させ、これにより燃焼器の周波数を振動させるように構成することができる。特定の燃焼器の周波数を振動させることは、特定の燃焼器の周波数を他の燃焼器の周波数から離すことによってコヒーレンスが低減されることが期待される。或いは、特定の燃焼器を通る燃料流の振動は、当該燃焼器と他の燃焼器との間の位相関係を変化させることを期待できる。
【００１８】
他の実施形態において、燃焼器のグループ、１つ置きの燃焼器、又はシステム内の各燃焼器は、燃料圧力振動システムを用いて構成することができる。２又はそれ以上の燃焼器間でタイムラグを有した燃料流の振動により、燃焼器間の燃料圧力振動の位相遅延がもたらされ、これは、燃焼器間の周波数変動の増大に起因してコヒーレンスが減少することが期待される。このような実施形態において、燃料圧力が燃料ノズルを通じて振動すると、燃料ノズル圧力比及びひいては燃焼ダイナミックス周波数が振動する。特定の燃焼器と少なくとも１つの燃焼器の周波数振動の間に時間遅延が存在する場合には、振動波形が交わる（例えば、特定の燃焼器の波形が燃料ノズルの圧力比において減少しており、別の燃焼器の波形が燃料ノズルの圧力比において増大している）時点を除いては、所与の何れかの時点で燃焼器間の周波数は異なり、結果として、燃焼器間の燃焼ダイナミックスの周波数変動が増大する。コヒーレンスの崩壊を最大にするために、各燃焼器（又は燃焼器の各グループ）に関連する燃料圧力振動システムは、特定の燃焼器又は燃焼器の特定のグループにおける燃焼ダイナミックス周波数を少なくとも１つの他の燃焼器又は燃焼器のグループと比べて逆位相で振動させるように、燃料圧力及びひいては周波数を振動させることができる。換言すると、最大のコヒーレンス崩壊は、燃焼ダイナミックス周波数が１つの燃焼器において最大値を通過すると同時に、別の燃焼器において最小値を通過するときに起こることになる。
【００１９】
或いは、１又はそれ以上の燃焼器の１又はそれ以上の燃料回路の燃料ノズルを通る燃料流を振動させることで、燃焼器間の燃焼ダイナミックスの位相関係を変えることができる。２又はそれ以上の燃焼器間の燃料流振動における時間遅延を導入すると、燃焼器間の位相遅延が増大し、燃焼器間の位相関係を変化させることができる。具体的には、２又はそれ以上の燃焼器間で燃料圧力を位相外れで振動させると、他の場合では「同相の」トーンの燃焼器間位相遅延を増大させることができる。燃料圧力振動の位相を燃焼器（又は燃焼システム）内の燃焼ダイナミックスの位相に対して制御することは、放熱（例えば、火炎ダイナミックス）と燃焼器音響振動との間で位相を変えることにより燃焼ダイナミックスの振幅を低減するのに効果的とすることができることは、十分立証されている。しかしながら、燃焼器間の燃料圧力振動の位相を位相外れであるように制御すると、燃焼器間で放熱（火炎ダイナミックス）の位相を変えることにより、燃焼間の位相を制御する追加の利点が得られることが期待される。最大の燃焼器間位相は、燃料圧力振動の周波数が対象の燃焼ダイナミックストーンの周波数付近（又は分数調波周波数の）にあり、燃料圧力振動が燃焼器間で位相外れにあるときに起こると予想される。下流側タービン構成要素は、同相のコヒーレンストーンの影響をより受けやすいので、燃焼器間でのコヒーレンスの崩壊及び／又は燃焼器間位相の増大は、燃焼システムから下流側の構成要素における望ましくない振動応答を低減することを期待できる。結果として、本発明の種々の実施形態は、燃焼器トーンの能力を低減して、下流側構成要素における振動応答を低減すると期待される。
【００２０】
上記のことを考慮すると、図１は、複数の燃焼器１２を有するガスタービンシステム１０の１つの実施形態の概略図であり、ここで各燃焼器１２は、燃焼器１２の端部カバー４２に動作可能に結合された燃料圧力振動システム１４（例えば、スピニングディスクシステム、回転装置又は構造体、往復動構造体、振動構造体、その他）を備えている。
【００２１】
図示のように、ガスタービンシステム１０は、吸気口１８、圧縮機２０、タービン２２、及び排気口２４を含む。ガスタービンシステム１０は、複数の燃料ノズル２６（例えば、１，２，３，４，５，６，７，８，９，１０又はそれ以上の燃料ノズル２６）を有する１又はそれ以上の燃焼器１２を含み、燃料ノズル２６は、液体燃料及び／又は気体燃料などの燃料２８を燃焼器１２内に送り、一次燃焼ゾーン３０内で燃焼させるようにする。燃焼器１２は、酸化剤−燃料混合気を点火して燃焼させ、次いで、高温燃焼ガス３２がタービン２２に流入する。タービン２２は、シャフト３４に結合されたタービンブレードを含み、シャフト３４はまた、システム１０にわたって他の複数の構成要素に結合される。燃焼ガス３２がタービン２２においてタービンブレードを通過すると、タービン２２が回転駆動され、これによりシャフト３４が回転するようになる。最終的に、燃焼ガス３２は、排気出口２４を介してタービンシステム１０から流出する。更に、シャフト３４は、負荷３６に結合することができ、負荷３６は、シャフト３４の回転によって動力が供給される。例えば、負荷３６は、外部の機械的負荷のような、タービンシステム１０の回転出力により動力を発生できるあらゆる好適な装置とすることができる。例えば、負荷３６は、発電機、航空機のプロペラ、及びその他を含むことができる。
【００２２】
タービンシステム１０の１つの実施形態において、圧縮機２０の構成要素として圧縮機ブレードが含まれる。圧縮機２０内のブレードは、シャフト３４に結合され、上述のようにシャフト３４がタービン２２により回転駆動されるにつれて回転することになる。圧縮機２０内のブレードの回転は、吸気口１８から空気（又は何らかの好適な酸化剤）３８を圧縮して加圧空気４０（例えば、加圧酸化剤）にする。次いで、加圧酸化剤４０は、燃焼器１２の燃料ノズル２６に送り込まれる。燃料ノズル２６は、加圧酸化剤４０と燃料２８を混合して、燃料を無駄にせずに又は過剰なエミッションが生じないような燃焼（例えば、燃料がより完全に燃焼するような燃焼）に好適な混合比を生成する。
【００２３】
特定の実施形態において、システム１０の燃焼器１２は、燃料圧力振動システム１４に動作可能に結合することができる。燃料圧力振動システム１４は、燃焼器１２の端部カバー４２に動作可能に結合することができ、１又はそれ以上の燃料回路４４を介して燃料２８を受け取る。特定の実施形態において、各燃料回路４４は、１又はそれ以上の燃料ノズル２６と関連付けることができ、該１又はそれ以上の燃料ノズル２６に燃料２８を提供するよう構成することができる。詳細には、燃料圧力振動システム１４は、端部カバー４２を通って流れる燃料２８の圧力振動を引き起こすように構成された１又はそれ以上のスピニングディスク４６（例えば、回転装置、回転構造体、往復動構造体、振動構造体、その他）を含むことができる。特定の実施形態において、燃料圧力振動システム１４の各スピニングディスク４６は、燃料回路４４と、該燃料回路４４に関連付けられる１又はそれ以上の燃料ノズル２６とに関連付けることができる。例えば、例示の実施形態において、第１の燃料回路４８は、燃料２８を１又はそれ以上の燃料ノズル２６に提供するよう構成することができ、燃料圧力振動システム１４の第１のスピニングディスク５０と関連付けることができる。更に、第１のスピニングディスク５０は、第１の燃料回路４８から該第１の燃料回路４８に関連する１又はそれ以上の燃料ノズル２６に流れる燃料２８の圧力振動を引き起こすように構成することができる。第２のスピニングディスク７２は、第２の燃料回路６８から該第２の燃料回路６８に関連する１又はそれ以上の燃料ノズル２６に流れる燃料２８の圧力振動を引き起こすように構成することができる。第２のスピニングディスク７２は、燃焼器１２を通る総燃料流が時系列でほぼ一定に保持されるように第１のスピニングディスク５０に対して位相外れ（例えば、時間的に遅延した）の燃料圧力振動を引き起こすように構成することができる。
【００２４】
特定の実施形態において、あるグループの燃焼器１２、隣接する燃焼器１２、１つ置きの燃焼器１２、又はシステム１０内の各燃焼器１２は、燃料圧力振動システム１４を用いて構成することができる。このような実施形態において、コヒーレンス崩壊を最大にするため、及び／又は燃焼器１２間の位相遅延を最大にするために、１又はそれ以上の燃焼器１２（又は燃焼器１２の１又はそれ以上のグループ）に関連する燃料圧力振動システム１４は、当該燃焼器１２（又は燃焼器１２のグループ）を通る燃料圧力を別の燃焼器１２（又は燃焼器１２の別のグループ）を通る燃料圧力に対して位相外れで振動させることができる。例えば、例示の実施形態において、第１の燃焼器５２の燃料圧力振動システム１４は、第１の燃焼器５２の結果として生じる燃焼ダイナミックス周波数が第２の燃焼器５４に対して位相外れで振動するように、燃料２８の圧力振動を引き起こすことができる。実際に、第２の燃焼器５４において周波数が最小値を通過すると同時に、第１の燃焼器５２の燃焼ダイナミックスの周波数が、第２の燃焼器５４と比べて時系列で異なるように変化する（例えば、第１の燃焼器５２において周波数が最大値を通過する）と、燃焼器間の燃焼ダイナミックスの変動が増大することができ、コヒーレンスの低下が期待される。或いは、第１の燃焼器５２において燃料流が第２の燃焼器５４と比べて位相外れで振動するように燃焼器を通る燃料流を振動させると、特に（限定ではないが）、燃料圧力振動周波数が対象の燃焼不安定性の周波数の近くにあるときに、第１の燃焼器５２と第２の燃焼器５４との間で燃焼ダイナミックスの位相遅延を増大させるようにすることができる。
【００２５】
別の一例として、各グループが１又はそれ以上の燃焼器１２を含む燃焼器１２のグループは、別の燃焼器１２の燃料圧力振動システム１４に対して構成が異なる燃料圧力振動システム１４を備えることができる。例えば、燃焼器１２の燃料圧力振動システム１４は、発生する振動の周波数、発生する振動の振幅、及び／又は発生する振動の時間遅延（例えば、位相）のうちの１又はそれ以上の点で別の燃焼器の燃料圧力振動システム１４とは異なることができる。
【００２６】
更に、特定の実施形態において、ガスタービンシステム１０の１又はそれ以上の燃焼器１２（又は燃焼器１２の１又はそれ以上のグループ）に対して単一の燃料圧力振動システム１４を利用してもよい点に留意されたい。例えば、包括的な機械レベルの燃料圧力振動システム１４は、燃料２８を受け取り、該燃料２８をシステム１０の各燃焼器１２に提供する前に燃料２８の圧力振動を引き起こすように構成することができる。
【００２７】
図２は、図１の燃焼器１２のうちの１つの燃焼器の実施形態の概略図であり、ここで燃焼器１２は、燃料圧力振動システム１４（例えば、スピニングディスク装置１４）に動作可能に結合されている。燃焼器１２は、端部カバー４２を有するヘッド端部１６と、燃焼器キャップ組立体５６と、一次燃焼ゾーン３０とを含む。端部カバー４２及び燃焼器キャップ組立体５６は、ヘッド端部１６において一次燃料ノズル２６を支持するよう構成することができる。例示の実施形態において、一次燃料ノズル２６は、燃料２８を一次燃焼ゾーン３０に送る。更に、燃料ノズル２６は、加圧酸化剤（例えば、加圧空気）４０を燃焼器１２のアニュラス５８（例えば、ライナ６０と流れスリーブ６２との間）から受け取り、加圧酸化剤４０を燃料２８と混合して酸化剤／燃料混合気を形成し、この混合気を一次燃焼ゾーン３
上述のように、一次燃焼ゾーン３０内の燃焼ダイナミックスは、下流側構成要素において、及び燃焼器自体において望ましくない振動応答をもたらす可能性がある。従って、システム１０の種々の燃焼器１２の間の燃焼ダイナミックス、及び／又は燃焼ダイナミックスのモード結合及び／又は燃焼ダイナミックスの位相を制御して、システム１０内の構成要素の何らか望ましくない共鳴振動応答（例えば、共振挙動）の可能性を低減することが有利とすることができる。
【００２８】
図１に関して上述したように、システム１０の燃焼器１２は、システム１０の燃焼器１２は、燃料圧力振動システム１４を用いて構成することができる。燃料圧力振動システム１４は、燃焼器１２の端部カバー４２上に配置することができ、１又はそれ以上の燃料回路４４を介して燃料２８を受け取ることができる。特定の実施形態において、各燃料回路４４は、１又はそれ以上の燃料ノズル２６と関連付けることができ、１又はそれ以上の燃料ノズル２６に燃料２８を提供するよう構成することができる。例えば、第１の燃料回路４８は、第１の燃料ノズル６４及び第２の燃料ノズル６６に燃料２８を提供するよう構成することができる。同様に、第２の燃料回路６８は、第３の燃料ノズル７０に燃料２８を提供するよう構成することができる。加えて、燃料圧力振動システム１４は、端部カバー４２を流れる燃料２８の圧力振動を引き起こすように構成された１又はそれ以上のスピニングディスク４６（例えば、回転装置、回転構造体、往復動構造体、振動構造体、その他）を含むことができる。特定の実施形態において、燃料圧力振動システム１４の各スピニングディスク４６は、燃料回路４４と、該燃料回路４４に関連付けられる１又はそれ以上の燃料ノズル２６とに関連付けることができる。従って、第１のスピニングディスク５０は、第１の燃料回路４８により第１及び第２の燃料ノズル６４、６６にそれぞれ提供される燃料２８の圧力振動を引き起こすことができる。同様に、第２のスピニングディスク７２は、第２の燃料回路６８によって第３の燃料ノズル７０に提供される燃料２８の圧力振動を引き起こすことができる。詳細には、燃料圧力振動システム１４は、燃料２８の圧力振動及びひいては第３の燃料ノズル７０を通る燃料流の振動が第１の燃料ノズル６４及び第２の燃料ノズル６６とは異なり、これらに対して位相外れであるように燃料２８を振動させるよう構成することができる。
【００２９】
特定の実施形態において、燃料圧力振動システム１４は、１又はそれ以上のギア７４を介して１又はそれ以上のスピニングディスク４６の回転を駆動するよう構成された駆動モータ８４（図３に示す）を含む。例えば、ギア７４は、第１のスピニングディスク５０及び第２のスピニングディスク７２を回転駆動可能に係合するよう構成された中央ディスクとすることができる。詳細には、１又はそれ以上のギア７４は、１つの駆動モータを用いて複数のスピニングディスク４６を駆動するのに用いることができ、回転運動を駆動モータ８４（図３に示す）からスピニングディスク４６に伝達するよう構成することができる。上述のように、第１のスピニングディスク５０及び第２のスピニングディスク７２が回転すると、燃料２８は、スピニングディスク４６を通じて脈動されて、燃料２８の圧力振動及びひいては燃料流振動を引き起こすことができる。例示の実施形態は、２つのスピニングディスク４６と１つのギア７４を有する燃料圧力振動システム１４を描いているが、他の実施形態では、あらゆる数のスピニングディスク４６（例えば、１，３，４，５，６，又はそれ以上）及びギア７４（例えば、２，３，４，５，又はそれ以上）を異なる構成で利用することができる。或いは、又はこれに加えて、各スピニングディスク４６が駆動モータを有することができ、これによりシステムにギア７４が存在しないようになる。
【００３０】
特定の実施形態において、プロセッサ７８及びメモリ８０を有するコントローラ７６を用いて、システム１０の構成要素を遠隔に及び／又は自動的に制御することができる。例えば、コントローラ７６を利用して、ギア７４に動作可能に結合された駆動オーエム−他を制御する、或いは、燃料回路４４の１又はそれ以上の燃料バルブ８２を制御することができる。プロセッサ７８は、一般に、当該技術分野で公知の何れかの好適な処理デバイスとすることができ、プロセッサ７８によって実行可能な命令を格納するためのメモリ８０を含むことができる。メモリ８０は、一般に、限定ではないが、ＲＡＭ、ＲＯＭ、ハードドライブ、又は他のメモリデバイスを含む、何れかの好適な１つ又は複数のコンピュータ可読媒体とすることができる。一般的に理解されるように、メモリ８０は、プロセッサ７８によって実行可能な命令を含む、プロセッサ７８によってアクセス可能な上方を格納するよう構成することができる。命令は、プロセッサ７８によって実行されたときに、該プロセッサ７８が所望の機能を提供するようになる何れかの命令セットとすることができる。例えば、命令は、コンピュータ可読形態にされたソフトウェア命令とすることができる。ソフトウェアが使用されるときには、本明細書に含まれる教示を実施するために、あらゆる好適なプログラミング言語、スクリプト言語、又は他のタイプの言語、もしくは言語の組み合わせを用いることができる。或いは、命令は、限定ではないが、特定用途回路を含む、ハードワイヤードロジック、又は他の回路により実施することができる。
【００３１】
特定の実施形態において、コントローラ７６は、燃料圧力振動システム１４によって発生した燃料２８の燃料圧力振動のタイミング（例えば、複数のスピニングディスク４６、及び／又は間の位相）、周波数、及び／又は振幅を調整するよう構成することができる。例えば、コントローラ７６は、駆動モータを介してスピニングディスク４６の回転速度を制御し、これにより燃料２８内で発生した燃料圧力振動の振幅及び周波数を調整するよう構成することができる。他の実施形態において、燃料２８の燃料圧力振動のタイミング及び／又は振幅は、ランダム、定期的、及び／又は燃焼システムの燃焼不安定性の振幅、位相、コヒーレンス、及び／又は周波数のうちの１又はそれ以上を示すセンサフィードバックに応答したものとすることができる。更に、コントローラ７６は、単一の燃料圧力振動システム１４に動作可能に結合されて図示されているが、他の実施形態では、コントローラ７６は、システム１０の１又はそれ以上の燃焼器１２に関連する１又はそれ以上の燃料回路４４に動作可能に結合された１又はそれ以上の燃料圧力振動システム１４に動作可能に結合することができる点に留意されたい。
【００３２】
図３は、駆動モータ８４と燃料圧力振動システム１４の１又はそれ以上のスピニングディスク４６を密閉するよう構成されたハウジング８６とを示した、図２の燃焼器１２のヘッド端部１６の１つの実施形態の図である。詳細には、燃料圧力振動システム１４は、端部カバー４２の上流側で燃焼器１２に動作可能に結合することができる。特定の実施形態において、端部カバー４２の上流側に燃料圧力振動システム１４を組み込むことで、端部カバー４２のプリオリフィスを燃料圧力振動システム１４に組み込み、これによりプリオリフィスを端部カバー４２取り外し可能にすることができる。換言すると、燃料圧力振動システム１４のスピニングディスク４６は、燃料供給源から燃料２８を受け取るよう構成されたプレオリフィスとして機能を果たすよう構成することができる。
【００３３】
特定の実施形態において、燃料２８は、１又はそれ以上の配管取付具又はピグテールコネクタを介して各スピニングディスク４６に流入する。例えば、第１のスピニングディスク５０は、第１の燃料回路４８から燃料２８を受けるように構成することができる第１のピグテールコネクタ８８に結合することができる。同様に、第２のスピニングディスク７２は、第２の燃料回路６８から燃料２８を受けるように構成することができる第２のピグテールコネクタ９０に結合することができる。他の実施形態では、あらゆる数のスピニングディスク４６をハウジング８６内に構成することができ、これらスピニングディスク４６があらゆる数の燃料回路４４から燃料２８を受け取るように構成することができる点に留意されたい。
【００３４】
燃料２８が燃料圧力振動システム１４に流入すると、駆動モータ８４は、ギア７４を係合してスピニングディスク４６を回転させ、端部カバー４２を通って流れる燃料２８の圧力振動を引き起こすことができる。詳細には、燃料２８がスピニングディスク４６上の１又はそれ以上のオリフィスを通って流れると、図４に関して更に説明するように、燃料２８が脈動されて圧力振動が引き起こされるようになる。詳細には、上述のように、スピニングディスク４６の回転は、第１のスピニングディスク５０によって引き起こされる圧力振動が第２のスピニングディスク７２によって引き起こされる圧力振動と異なることができるように、調整、定期的、及び／又はタイミング調整することができる。例えば、スピニングディスク４６上のオリフィスは、図４に関して更に説明されるように、第１の燃料回路４４内の燃料２８の圧力振動を第２の燃料回路６８内の燃料２８の圧力振動に対して位相外れであるように発生させるようなサイズにし、離間し、又は配置することができる。更に、コントローラ７６は、駆動モータ８４を介してスピニングディスク４６の回転速度を調整し、各燃料回路４４内の圧力振動の発生を制御するよう構成することができる。燃料２８が脈動されて、各燃料回路４４間でほぼ位相外れであるように圧力振動が燃料流内で発生した後、燃料２８は、端部カバー４２を介して燃料圧力振動システム１４から流出し、該燃料２８は、適切な燃料ノズル２６に送ることができる。このようにして、１又はそれ以上の燃料ノズル２６を通る燃料２８の圧力振動は、別の燃料ノズル２６を通る燃料２８の圧力振動に対して移動外れにすることができる。従って、上述のように、燃料回路４４内の燃料圧力振動を互いに対して位相外れであるように発生させることにより、燃焼器を通る総燃料流を時系列でほぼ維持することができる。
【００３５】
更に、他の実施形態では、コヒーレンス崩壊を最大にするため、及び／又は燃焼器間の位相差を最大にするために、１又はそれ以上の燃焼器１２（又は燃焼器１２の１又はそれ以上のグループ）に関連する燃料圧力振動システム１４は、特定の燃料回路４４に関連する燃料ノズル２６を通る燃料圧力を他の燃焼器１２（又は燃焼器１２の他のグループ）における同じ燃料回路４４に関連する燃料ノズル２６を通る燃料圧力振動に対して位相外れで振動させることができる。燃料圧力振動がシステム１０内の他の燃焼器１２の同じ燃料回路４４と関連する燃料ノズルの燃料圧力振動と位相外れであるように、燃料圧力が１又はそれ以上の燃焼器１２の特定の燃料回路４４と関連する燃料ノズル２６を通って振動すると、１又はそれ以上の燃焼器１２の周波数は、システム１０内の他の燃焼器１２と比べて位相外れであるように振動する。換言すると、燃料圧力が、第２の燃焼器５４（又は燃焼器の第２のグループ）と比べて第１の燃焼器５２（又は燃焼器の第１のグループ）において逆位相で振動すると、第１の燃焼器５２（又は燃焼器の第１のグループ）において周波数が最大値となると同時に、第２の燃焼器５４（又は燃焼器の第２のグループ）においては周波数が最小値となり、その結果、燃焼器トーン周波数がシステム１０内の燃焼器間で離隔され、これにより全体としてシステム１０のコヒーレンスが低減され、燃焼ダイナミックスのモード結合が低減されると期待される。或いは、燃料圧力振動が、システム１０内の第２の燃焼器５４（又は燃焼器の第２のグループ）の同じ燃料回路４４と関連する燃料ノズル２６の燃料圧力振動と位相外れになるように、第１の燃焼器５２（又は燃焼器の第１のグループ）の燃料回路４４と関連する燃料ノズル２６を通じて燃料圧力が振動すると、燃焼器間位相が変化し、これにより下流側構成要素の何らかの望ましくない振動応答を低減することができる。
【００３６】
図４は、スピニングディスク４６上に配置された複数のオリフィス９２を示す、図３の燃料圧力振動システム１４のハウジング８６に関する１つの実施形態の概略図である。上述のように、スピニングディスク４６は、ハウジング８６内に配置することができ、該ハウジングは、１又はそれ以上の燃料回路４４によって供給される燃料２８を保持するように構成されたシール付き筐体とすることができる。１又はそれ以上のギア７４はまた、ハウジング８６内に配置することができ、該ハウジング８６の内部及び／又は外部に配置することができる駆動モータ８４に動作可能に結合することができる。上述のように、駆動モータ８４は、ギア７４を駆動し、これにより燃料圧力振動システム１４の１又はそれ以上のスピニングディスク４６に回転速度をもたらすように構成することができる。図示の実施形態は、２つのスピニングディスク４６と、これらの間に配置された単一のギア７４とを例示しているが、他の実施形態では、あらゆる数のスピニングディスク４６（例えば、１，３，４，５，６，７，又はそれ以上）をハウジング８６内に配置することができ、また、単一の駆動モータ８４から複数のスピニングディスク４６に回転運動を伝達するために、適切な数のギア７４を利用することができる。特定の実施形態において、回転運動を発生させるために、１又はそれ以上の駆動モータ８４を利用してもよい。
【００３７】
詳細には、複数のオリフィス９２をスピニングディスク４６上に配置することができる。燃料２８が燃料入口９４を通って各スピニングディスク４６に流入すると、燃料２８がオリフィス９２を通って流れるときに回転中のディスク４６が燃料２８を脈動させる。オリフィス９２は、あらゆるサイズ（例えば、有効面積、半径９６、外周９８、長さ、幅、深さ、位置、その他）又は形状（例えば、円形、矩形、三角形、楕円形、長円形、その他）で構成することができ、幅広い種類のパターンで及び幅広い種類の間隔でスピニングディスク４６上に配置することができる。例えば、特定の実施形態において、第１のスピニングディスク５０のオリフィス９２は、円形とすることができるが、第２のスピニングディスク７２のオリフィス９２は、異なる形状（例えば、矩形、三角形、楕円形、長円形、その他）とすることができる。別の１つの実施例として、オリフィス９２は、第１のスピニングディスク５０のオリフィス９２のサイズが第２のスピニングディスク７２のオリフィス９２のサイズよりも大きいか又は小さいように、異なるサイズにすることができる
詳細には、オリフィス９２は、幅広い種類のパターン（例えば、ランダム、円形配列、マトリックス、その他）を有してスピニングディスク４６上に配置することができ、何れかの２つのオリフィス９２の間の異なる間隔量で位置付けることができる。例えば、第１のスピニングディスク５０上の２つのオリフィス９２間の第１の距離１００は、第２のスピニングディスク７２上の２つのオリフィス９２間の第２の距離１０２よりも大きいか又は小さいとすることができる。オリフィス９２の間隔をオリフィス９２の幾何形状（サイズ、形状、その他）及びスピニングディスク４６の回転速度と組み合わせることで、燃料圧力振動の振幅及び周波数に影響を与えることになる。加えて、第１及び第２のスピニングディスク５０，７２は、互いに対して「クロック」制御されて、該第１及び第２のスピニングディスク５０，７２により生じる燃料圧力振動の位相同期に影響を及ぼすことができる。例えば、第１のスピニングディスク５０の燃料入口９４に対する第１のスピニングディスク５０のオリフィス９２の位置は、第２のスピニングディスク７２の燃料入口９４に対する第２のスピニングディスク７２のオリフィス９２の位置と比べて異なることができる。従って、スピニングディスク４６上のオリフィス９２の相対的位置決めにより、第２の燃料回路６８に対する第１の燃料回路４８の位相制御の調整を可能にすることができる。このようにして、燃料２８がオリフィス９２を通じて脈動されると、オリフィス９２のサイズ、形状、及び相対的位置決めにより、第２の燃料回路６８の燃料圧力振動に対して第１の燃料回路４８の燃料圧力振動を位相外れで駆動することが可能となり、及び／又は第１及び／又は第２の燃料回路４８，６８の燃料圧力振動の周波数及び／又は振幅を変えることができる。
【００３８】
従って、燃料圧力振動システム１４は、例えば、スピニングディスク４６の数、ギア７４の数、及び／又はオリフィス９２のサイズ、形状、又は相対的位置決めなど、様々な幾何学的差違を有して構成することができる。このようにして、システム１０内の周波数の所望の分散及び／又はシステム１０内の燃焼器１２間の所望の位相挙動を達成するように、幅広い種類の燃料圧力振動システム１４を燃焼器１２と共に形成及び構成することができる。例えば、第１の燃焼器５２に動作可能に結合された燃料圧力振動システム１４は、第２の燃焼器５４に動作可能に結合された燃料圧力振動システム１４と異なる少なくとも１つの幾何学的差違を有し、これにより、第１及び第２の燃焼器１２間のモード結合を低減するのを助け、及び／又は第１及び第２の燃焼器１２間の燃焼ダイナミックスの位相挙動を変えるのを助けることができる。別の一例として、燃焼器１２の第１のグループ（ここで各グループは１又はそれ以上の燃焼器１２を含む）に動作可能に結合された燃料圧力振動システム１４は、燃焼器１２の第２のグループに動作可能に結合された燃料圧力振動システム１４と異なる少なくとも１つの幾何学的差違を有し、これにより、燃焼器１２の第１及び第２のグループ間のモード結合を低減するのを助け、及び／又は燃焼器１２の第１及び第２のグループ間の燃焼ダイナミックスの位相挙動を変えるのを助けることができる。別の１つの実施例として、システム１０の各燃焼器１２は、単一の燃料圧力振動システム１４と共に構成することができ、ここで振動システム１４は、システム内の別の振動システム１４とは異なる少なくとも１つの幾何学的差違を有し、これにより、システム１０の燃焼器１２間のモード結合を低減するのを助け、及び／又はシステム１０の燃焼器１２間の燃焼ダイナミックスの位相挙動を変えるのを助けることができる。
【００３９】
本発明の技術的効果は、燃焼ダイナミックスのモード結合を低減し、及び／又は１又はそれ以上の燃料圧力振動システム１４を介して燃焼ダイナミックスの燃焼器間の位相挙動を変えるためのシステム及び方法を提供することを含む。詳細には、燃料圧力振動システム１４は、１又はそれ以上の燃焼器１２に動作可能に結合することができ、燃焼器１２の１又はそれ以上の燃料回路４４を通って１又はそれ以上の燃料ノズル２６に流れる燃料２８の圧力振動及び／又は圧力変調を引き起こすよう構成することができる。詳細には、燃料圧力振動システム１４は、異なる燃料回路４４及びこれら燃料回路４４に関連する燃料ノズル２６内で圧力振動を引き起こし、これにより燃焼ダイナミックス周波数を変化させ、及び／又は別の燃焼器１２の燃焼ダイナミックスに対して燃焼ダイナミックの位相を変えるように構成することができる。特定の実施形態において、単一の燃焼器１２は、燃料圧力振動システム１４を備えることができる。他の実施形態において、各々が１又はそれ以上の燃焼器１２を有する燃焼器１２のグループは、燃料圧力振動システム１４を備えることができる。更に、特定の実施形態において、システム１０の各燃焼器１２は、燃料圧力振動システム１４を備えることができる。このようにして、燃焼ダイナミックス周波数が単一の燃焼器１２内で、及び／又は複数の燃焼器間で変えられて、燃焼器１２間の燃焼ダイナミックスのモード結合を低減することができる。代替として、又はこれに加えて、燃焼器１２間の燃焼ダイナミックスの位相を変えることができる。モード結合の低減及び／又は燃焼器１２の間の位相の増大は、下流側タービン構成要素において、及び／又は燃焼器自体において望ましくない振動応答を低減することが期待される。
【００４０】
本明細書は、最良の形態を含む実施例を用いて本発明を開示し、また、あらゆる当業者が、あらゆるデバイス又はシステムを実施及び利用すること並びにあらゆる組み込み方法を実施することを含む本発明を実施することを可能にする。本発明の特許保護される範囲は、請求項によって定義され、当業者であれば想起される他の実施例を含むことができる。このような他の実施例は、請求項の文言と差違のない構造要素を有する場合、又は請求項の文言と僅かな差違を有する均等な構造要素を含む場合には、本発明の範囲内にあるものとする。
【符号の説明】
【００４１】
１０  ガスタービンシステム
１２  燃焼器
１４  燃料圧力振動システム
１６  ヘッド端部
１８  吸気口
２０  圧縮機
２２  タービン
２４  排気口
２６  燃料ノズル
２８  燃料
３０  一次燃焼ゾーン
３２  高温燃焼ガス
３４  シャフト
３６  負荷
３８  空気（又は酸化剤）
４０  加圧酸化剤
４２  端部カバー
４４  燃料回路
４６  スピニングディスク
４８  第１の燃料回路
５０  第１のスピニングディスク
５２  第１の燃焼器
５４  第２の燃焼器
【図１】
2016008609.tif 000003
【図２】
2016008609.tif 000004
【図３】
2016008609.tif 000005
【図４】
2016008609.tif 000006
【外国語明細書】
2016008609000001.pdf